(57)【特許請求の範囲】
【請求項１】
複数のユーザのそれぞれについて、本人認証用情報を記憶した本人認証用情報記憶手段と、
コンテンツを保持したコンテンツ保持手段と、
複数のＩＰアドレスを記憶可能なＩＰアドレス記憶手段と、
何人かのユーザのＩＰ電話機の電話番号を記憶した電話番号記憶手段と、
ＩＰ電話機からのＩＰ電話を受信し、当該ＩＰ電話機の電話番号が前記電話番号記憶手段に記憶されていた場合に限り、前記ＩＰアドレス記憶手段に、当該ＩＰ電話機のＩＰアドレスを記憶するＩＰアドレス登録手段と、
前記ＩＰアドレス記憶手段に記憶された後の経過時間が所定時間を超えている各ＩＰアドレスを、前記ＩＰアドレス記憶手段上から消去するＩＰアドレス消去手段と、
或るコンピュータが送信した，前記コンテンツ保持手段に保持されているコンテンツに対するリクエストを受信した際に、そのリクエストの送信元ＩＰアドレスが前記ＩＰアドレス記憶手段に記憶されていた場合には、当該コンピュータのユーザに前記コンテンツを提供するための処理を行い、そうでなかった場合には、前記本人認証用情報記憶手段に記憶されているいずれかの本人認証用情報を入力できた場合に限り、当該コンピュータのユーザに前記コンテンツを提供する処理を行うコンテンツ提供手段
とを、備えることを特徴とするコンテンツ提供システム。
【請求項２】
前記コンテンツ保持手段が、複数種類のコンテンツを保持した手段であり、
前記ＩＰアドレス記憶手段が、コンテンツ別に、複数のＩＰアドレスを記憶可能な手段であり、
前記ＩＰアドレス登録手段が、ＩＰ電話を掛けてきたユーザから、コンテンツを指定する情報を得る手段であると共に、前記ＩＰ電話機の電話番号が前記電話番号記憶手段に記憶されていた場合には、前記ＩＰ電話機のＩＰアドレスを，ユーザから得た前記情報にて指定されるコンテンツに関するものとして、前記ＩＰアドレス記憶手段に記憶する手段であり、
前記コンテンツ提供手段が、
或るコンピュータが送信した，前記コンテンツ保持手段に保持されている或るコンテンツに対するリクエストを受信した際に、そのリクエストの送信元ＩＰアドレスが，当該コンテンツに関するものとして前記ＩＰアドレス記憶手段に記憶されていた場合には、当該コンピュータのユーザに前記コンテンツを提供するための処理を行い、そうでなかった場合には、前記本人認証用情報記憶手段に記憶されているいずれかの本人認証用情報を入力できた場合に限り、当該コンピュータのユーザに前記コンテンツを提供する処理を行う手段である
ことを特徴とする請求項１記載のコンテンツ提供システム。
【請求項３】
複数のユーザのそれぞれについて、本人認証用情報を記憶した認証サーバと、それぞれ、コンテンツを保持した複数台のコンテンツサーバと、管理サーバとを含むコンテンツ提供システムであって、
前記複数台のコンテンツサーバのそれぞれが、
複数のＩＰアドレスを記憶可能なＩＰアドレス記憶手段と、
管理サーバから登録すべきものとして送信されてきたＩＰアドレスを前記ＩＰアドレス記憶手段に記憶するＩＰアドレス登録手段と、
前記ＩＰアドレス記憶手段に記憶された後の経過時間が所定時間を超えている各ＩＰアドレスを、前記ＩＰアドレス記憶手段上から消去するＩＰアドレス消去手段と、
或るコンピュータが送信した，前記コンテンツ保持手段に保持されているコンテンツに対するリクエストを受信した際に、そのリクエストの送信元ＩＰアドレスが前記ＩＰアドレス記憶手段に記憶されていた場合には、当該コンピュータのユーザに前記コンテンツを提供するための処理を行い、そうでなかった場合には、前記認証サーバが記憶しているいずれかの本人認証用情報を入力できた場合に限り、当該コンピュータのユーザに前記コンテンツを提供する処理を行うコンテンツ提供手段と
を、備えた装置であり、
前記管理サーバが、
何人かのユーザのＩＰ電話機の電話番号を記憶した電話番号記憶手段と、
ＩＰ電話機からのＩＰ電話を受信すると共に、ＩＰ電話を掛けてきたユーザから、コンテンツを指定する情報を得る手段であり、かつ、当該ＩＰ電話機の電話番号が前記電話番号記憶手段に記憶されていた場合に限り、当該ＩＰ電話機のＩＰアドレスを，登録すべきものとして，ユーザから取得した情報にて指定されるコンテンツを保持しているコンテンツサーバに送信する手段であるＩＰアドレス登録要求手段と
を、備えた装置である
ことを特徴とするコンテンツ提供システム。
【発明の詳細な説明】
【技術分野】
【０００１】
本発明は、コンテンツを提供するためのコンテンツ提供システムに関する。
【背景技術】
【０００２】
周知のように、インターネット上のコンテンツの中には、ユーザＩＤ及びパスワードを入力しなければ利用できないコンテンツが存在しているが、ユーザＩＤ及びパスワードを一々入力するといった作業は、煩雑な作業である。
【発明の開示】
【発明が解決しようとする課題】
【０００３】
そこで、本発明の課題は、本人認証（ユーザ認証）が必要なコンテンツを、各ユーザ（ただし、ＩＰ電話機を有している者）が本人認証用情報（ユーザＩＤ，パスワード等）を入力することなく利用可能な形で、提供することが出来るコンテンツ提供システムを提供することにある。
【課題を解決するための手段】
【０００４】
上記課題を解決するために、本発明のコンテンツ提供システムは、複数のユーザのそれぞれについて、本人認証用情報を記憶した本人認証用情報記憶手段と、コンテンツを保持したコンテンツ保持手段と、複数のＩＰアドレスを記憶可能なＩＰアドレス記憶手段と、何人かのユーザのＩＰ電話機の電話番号を記憶した電話番号記憶手段と、ＩＰ電話機からのＩＰ電話を受信し、当該ＩＰ電話機の電話番号が電話番号記憶手段に記憶されていた場合に限り、ＩＰアドレス記憶手段に、当該ＩＰ電話機のＩＰアドレスを記憶するＩＰアドレス登録手段と、ＩＰアドレス記憶手段に記憶された後の経過時間が所定時間を超えている各ＩＰアドレスを、ＩＰアドレス記憶手段上から消去するＩＰアドレス消去手段と、或るコンピュータが送信した，コンテンツ保持手段に保持されているコンテンツに対するリクエストを受信した際に、そのリクエストの送信元ＩＰアドレスがＩＰアドレス記憶手段に記憶されていた場合には、当該コンピュータのユーザにコンテンツを提供するための処理を行い、そうでなかった場合には、本人認証用情報記憶手段に記憶されているいずれかの本人認証用情報を入力できた場合に限り、当該コンピュータのユーザにコンテンツを提供する処理を行うコンテンツ提供手段とを、備える。
【０００５】
すなわち、本発明のコンテンツ提供システムは、ユーザのＩＰ電話機の電話番号により本人認証を行ってしまい、電話番号による本人認証が済んでいるユーザからのリクエスト受信時には、ＰＷ等の本人認証用情報の入力を要求することなくコンテンツを提供する構成を有する。そして、ユーザのＩＰ電話機の電話番号は、十分に本人認証を行える情報であるので、このコンテンツ提供システムを用いれば、各ユーザ（ただし、ＩＰ電話機を有している者）が、本人認証が必要なコンテンツを、本人認証用情報（ユーザＩＤ，パスワード等）を入力することなく利用可能な環境を実現できることになる。また、本発明のコンテンツ提供システムは、ＩＰアドレス記憶手段に記憶された後の経過時間が所定時間を超えている各ＩＰアドレスを、ＩＰアドレス記憶手段上から消去するＩＰアドレス消去手段を備えているため、ユーザのＩＰ電話機のＩＰアドレスが，ＡＤＳＬモデム等のリセット等により変更されても特に問題が生じないシステムとなっていると言うことも出来る。
【０００６】
本発明のコンテンツ提供システムを実現する際には、コンテンツ保持手段を、複数種類のコンテンツを保持した手段とし、ＩＰアドレス記憶手段を、コンテンツ別に、複数のＩＰアドレスを記憶可能な手段とし、ＩＰアドレス登録手段を、ＩＰ電話を掛けてきたユーザから、コンテンツを指定する情報を得る手段であると共に、ＩＰ電話機の電話番号が電話番号記憶手段に記憶されていた場合には、ＩＰ電話機のＩＰアドレスを，ユーザから得た情報にて指定されるコンテンツに関するものとして、ＩＰアドレス記憶手段に記憶する手段とし、コンテンツ提供手段を、或るコンピュータが送信した，コンテンツ保持手段に保持されている或るコンテンツに対するリクエストを受信した際に、そのリクエストの送信元ＩＰアドレスが，当該コンテンツに関するものとしてＩＰアドレス記憶手段に記憶されていた場合には、当該コンピュータのユーザにコンテンツを提供するための処理を行い、そうでなかった場合には、本人認証用情報記憶手段に記憶されているいずれかの本人認証用情報を入力できた場合に限り、当該コンピュータのユーザにコンテンツを提供する処理を行う手段としておくことが出来る。
【０００７】
なお、本発明のコンテンツ提供システムは、何台の装置から実現しても良い。また、その際、個々の手段が、１台の装置内に存在している必要もなく、例えば、請求項２記載のコンテンツ提供システム相当のシステムを、請求項３に記載してあるように、複数のユーザのそれぞれについて、本人認証用情報を記憶した認証サーバと、それぞれ、コンテンツを保持した複数台のコンテンツサーバと、管理サーバとを含むシステムであって、複数台のコンテンツサーバのそれぞれが、複数のＩＰアドレスを記憶可能なＩＰアドレス記憶手段と、管理サーバから登録すべきものとして送信されてきたＩＰアドレスをＩＰアドレス記憶手段に記憶するＩＰアドレス登録手段と、ＩＰアドレス記憶手段に記憶された後の経過時間が所定時間を超えている各ＩＰアドレスを、ＩＰアドレス記憶手段上から消去するＩＰアドレス消去手段と、或るコンピュータが送信した，コンテンツ保持手段に保持されているコンテンツに対するリクエストを受信した際に、そのリクエストの送信元ＩＰアドレスがＩＰアドレス記憶手段に記憶されていた場合には、当該コンピュータのユーザにコンテンツを提供するための処理を行い、そうでなかった場合には、認証サーバが記憶しているいずれかの本人認証用情報を入力できた場合に限り、当該コンピュータのユーザにコンテンツを提供する処理を行うコンテンツ提供手段とを、備えた装置であり、管理サーバが、何人かのユーザのＩＰ電話機の電話番号を記憶した電話番号記憶手段と、ＩＰ電話機からのＩＰ電話を受信すると共に、ＩＰ電話を掛けてきたユーザから、コンテンツを指定する情報を得る手段であり、かつ、当該ＩＰ電話機の電話番号が電話番号記憶手段に記憶されていた場合に限り、当該ＩＰ電話機のＩＰアドレスを，登録すべきものとして，ユーザから取得した情報にて指定されるコンテンツを保持しているコンテンツサーバに送信する手段であるＩＰアドレス登録要求手段とを備えた装置であるシステムとしておくことが出来る。
【発明を実施するための最良の形態】
【０００８】
以下、本発明を実施するための最良の形態を、図面を参照して詳細に説明する。
【０００９】
まず、図１を用いて、本発明の一実施形態に係るコンテンツ提供システムの概要を説明する。
【００１０】
図示してあるように、本発明の一実施形態に係るコンテンツ提供システムは、ネットワーク（ＩＰ電話ネットワーク及びインターネット）に接続された管理サーバ１０，認証サーバ２０及び複数台のコンテンツサーバ３０からなるシステムである。
【００１１】
このコンテンツ提供システムに用いられている認証サーバ２０は、本システムの各ユーザのＰＷ（パスワード），ユーザＩＤ，電話番号，住所，氏名等を記憶した認証用データベースを備えたサーバである。なお、ユーザとは、本システムを利用するための所定の手続きを行った者のことである。
【００１２】
この認証サーバ２０は、他装置から与えられたＰＷ及びユーザＩＤと同じ組合せが認証用データベース内に記憶されているか否かを判断し，その判断結果を返送する機能を有している。
【００１３】
各コンテンツサーバ３０は、ユーザのみに提供する各種コンテンツ（Ｗｅｂページ群，ダウンロード可能なファイル等；以下、“要認証コンテンツ”と表記する）や，ユーザ／非ユーザに提供する各種コンテンツを保持したサーバである。
【００１４】
各コンテンツサーバ３０は、ユーザが、一般的なサーバへのアクセス手順と同様の手順でアクセスして要認証コンテンツを要求した場合、ＰＷ及びユーザＩＤを入力を要求するものとなっている。そして、本コンテンツ提供システムは、ユーザ（ただし、ＩＰ電話機を有しているもの）が、本システム（管理サーバ１０）に対してＩＰ電話を掛けておけば、所望の要認証コンテンツを、ＰＷ及びユーザＩＤを入力することなく利用できるように構成されたシステムとなっている。
【００１５】
以上のことを前提に、以下、本実施形態に係るコンテンツ提供システムの構成及び動作を、具体的に説明する。
【００１６】
本実施形態に係るコンテンツ提供システムに用いられている管理サーバ１０（図１）は、ユーザデータベース（ユーザＤＢ）１１と、コンテンツデータベース（コンテンツＤＢ）１２とを、備えている。
【００１７】
ユーザデータベース１１は、図２に模式的に示してあるように、ＩＰ電話機を有している各ユーザの“ＩＰ電話機の電話番号”，メールアドレス及び氏名を，ユーザ別に記憶したデータベースである。このユーザデータベースは、認証サーバ２０が保持している認証用データベースの内容更新時にその内容が更新されるデータベース（認証用データベースに記憶されている，ＩＰ電話機を有している各ユーザに関する情報の一部を記憶しているように、その内容が更新されるデータベース）となっている。
【００１８】
コンテンツデータベース１２は、各種の要認証コンテンツのＵＲＬと、各要認証コンテンツに割り当てられているコンテンツＩＤとの対応関係を記憶したデータベース（コンテンツＩＤから、要認証コンテンツのＵＲＬが特定できるデータベース）である。各コンテンツＩＤは、２桁の数値情報となっており、本コンテンツ提供システムは、要認証コンテンツとコンテンツＩＤとの対応関係が各所（Ｗｅｂページ上等）で紹介されている形で運用されるシステムとなっている。
【００１９】
また、本コンテンツ提供システムは、或る要認証コンテンツをＰＷ及びユーザＩＤを入力することなく利用したいユーザは、本システムへＩＰ電話を掛ける際、本システムの電話番号の入力後に“＃＋利用したい要認証コンテンツのコンテンツＩＤ”を入力する必要があるシステムとなっている。
【００２０】
そして、管理サーバ１０は、そのようなＩＰ電話がかかってきた場合、図３に示した手順の処理を実行するサーバとなっている。
【００２１】
すなわち、ＩＰ電話がかかってきた場合、管理サーバ１０は、まず、発信者の電話番号及びＩＰアドレス，発信者が入力したコンテンツＩＤを把握する(ステップＳ１０１)。
【００２２】
次いで、管理サーバ１０は、把握した発信者の電話番号が、ユーザＤＢ１１（図２）に登録（記憶）されているものであるか否かを判断する(ステップＳ１０２)。そして、管理サーバ１０は、発信者の電話番号が、ユーザＤＢ１１に登録されているものでなかった場合(ステップＳ１０２；ＮＯ)には、ステップＳ１０８にて、本サービス（コンテンツ提供システムが提供する，ＰＷ等の入力を不要なものとするサービス）が，登録されている電話番号のＩＰ電話機からしか利用できないサービスである旨の音声メッセージを出力する処理（図では、エラーメッセージ出力処理）を行ってから、この図の処理を終了する。
【００２３】
一方、発信者の電話番号が、ユーザＤＢ１１に登録されているものであった場合(ステップＳ１０２；ＹＥＳ)、管理サーバ１０は、ユーザが入力したコンテンツＩＤに対応付けられているコンテンツＵＲＬを、コンテンツＤＢ１２から読み出す処理(ステップＳ１０３)を行う。そして、管理サーバ１０は、当該処理に失敗した場合(ステップＳ１０４；ＮＯ)には、ステップＳ１０８にて、コンテンツＩＤを確認してから，再度，電話をかけるべき旨（入力したコンテンツＩＤが間違っている旨）の音声メッセージを出力する処理（図では、エラーメッセージ出力処理）を行ってから、この図の処理を終了する。
【００２４】
また、管理サーバ１０は、ユーザが入力したコンテンツＩＤに対応付けられているコンテンツＵＲＬをコンテンツＤＢ１２から読み出せた場合(ステップＳ１０４；ＹＥＳ)には、当該コンテンツＵＲＬと発信者のＩＰアドレスとを含むＩＰアドレス登録要求を対応コンテンツサーバ（コンテンツＵＲＬから特定されるコンテンツサーバ３０）に送信する(ステップＳ１０５)。
【００２５】
ここで、ＩＰアドレス登録要求受信時におけるコンテンツサーバ３０の動作を説明しておくことにする。
【００２６】
コンテンツサーバ３０内には、自身が提供可能な要認証コンテンツ毎に，図４に示した構成のＩＰアドレステーブル３１が用意されている。また、コンテンツサーバ３０内に用意されている各ＩＰアドレステーブル３１は、要認証コンテンツのＵＲＬに対応づけられたテーブルとなっている。
【００２７】
そして、コンテンツサーバ３０は、ＩＰアドレス登録要求を受信した場合、以下の処理を行う装置として構成されている。
【００２８】
すなわち、ＩＰアドレス登録要求を受信したコンテンツサーバ３０は、まず、現在日時から所定時間が経過した日時を算出する。次いで、コンテンツサーバ３０は、受信したＩＰアドレス登録要求に含まれるＩＰアドレスと、算出した日時を表す有効期限情報とからなるレコードを、当該ＩＰアドレス登録要求内のコンテンツＵＲＬに対応づけられているＩＰアドレステーブル３１に記憶する。そして、コンテンツサーバ３０は、所定内容のＩＰアドレス登録完了通知を管理サーバ１０に返送してから、受信したＩＰアドレス登録要求に対する処理を終了する。
【００２９】
図３に戻って、管理サーバ１０の動作説明を続ける。
【００３０】
上記したように、コンテンツサーバ３０は、ＩＰアドレス登録要求を送信した場合、ＩＰアドレス登録完了通知を返送する装置となっている。このため、ＩＰアドレス登録要求を対応コンテンツサーバに送信した管理サーバ１０は、対応コンテンツサーバからＩＰアドレス登録完了通知が送信されてくるのを待機する(ステップＳ１０６)。
【００３１】
そして、管理サーバ１０は、対応コンテンツサーバからＩＰアドレス登録完了通知が送信されてきた際(ステップＳ１０６；ＹＥＳ)には、入力したコンテンツＩＤで識別されるコンテンツの利用時に、ＰＷ等の入力が不要となったことを発信者に知らせるための設定完了メッセージ（音声メッセージ）を，発信者のＩＰ電話機（管理サーバ１０と接続されている状態にあるＩＰ電話機）に対して出力する処理(ステップＳ１０７)を行う。また、このステップＳ１０７にて、管理サーバ１０は、入力したコンテンツＩＤで識別されるコンテンツの利用時に、ＰＷ等の入力が不要となった旨のメッセージ（文字情報），当該コンテンツのＵＲＬ等が示された設定完了メール（Ｅメール）を，発信者に宛てて（宛先アドレスを、発信元電話番号に対応付けられているユーザＤＢ１１内のメールアドレスとして）送信する処理も行う。
【００３２】
そして、そのような処理をステップＳ１０７にて行った管理サーバ１０は、この図の処理を終了する。
【００３３】
また、本コンテンツ提供システムに用いられている各コンテンツサーバ３０は、上記した機能に加えて、自装置内の各ＩＰアドレステーブル３１上から，有効期限が過ぎたレコード（有効期限情報が示す日時＜現在日時となったレコード）を消去する機能も有するサーバとなっている。なお、各コンテンツサーバ３０が、このようなサーバとして構成されているのは、ユーザのＩＰ電話機のＩＰアドレスが，ＡＤＳＬモデム等のリセット等により変更されても問題が生じないようにするためである。
【００３４】
さらに、各コンテンツサーバ３０は，要認証コンテンツに対するリクエストを図５に示した手順で処理するサーバとなっている。
【００３５】
すなわち、要認証コンテンツに対するリクエストを受信したコンテンツサーバ３０は、まず、リクエスト送信元のＩＰアドレス（受信リクエスト中の送信元ＩＰアドレス）を把握する(ステップＳ２０１)。
【００３６】
次いで、コンテンツサーバ３０は、把握したＩＰアドレスが，要求されているコンテンツに対応づけられているＩＰアドレステーブル３１（以下、処理対象ＩＰアドレステーブル３１と表記する）に記憶されているか否かを判断する(ステップＳ２０２)。そして、コンテンツサーバ３０は、把握したＩＰアドレスが，処理対象ＩＰアドレステーブル３１に記憶されていなかった場合(ステップＳ２０２；ＮＯ)には、ＰＷ，ユーザＩＤの入力を要求する処理や，入力されたＰＷ，ユーザＩＤの正当性を認証サーバ２０に問い合わせる処理等を実行する。要するに、この場合、コンテンツサーバ３０は、通常のコンテンツサーバが行っているものと同じ処理を実行する。
【００３７】
一方、把握したＩＰアドレスが，処理対象ＩＰアドレステーブル３１に記憶されていた場合(ステップＳ２０２；ＹＥＳ)、コンテンツサーバ３０は、ＰＷ，ユーザＩＤの入力を要求することなく、ステップＳ２０３にて、要求されているコンテンツを提供する処理を行ってから、この図の処理を終了する。
【００３８】
以上，説明した管理サーバ１０，コンテンツサーバ３０の動作内容から明らかなように、本実施形態に係るコンテンツ提供システムは、図６に示したように機能するシステムとなっている。
【００３９】
すなわち、或るユーザ（ただし、ＩＰ電話機を有しているもの）が、所望のコンテンツ（要認証コンテンツ）のコンテンツＩＤを付加した形で管理サーバ１０に対してＩＰ電話をかけると、管理サーバ１０にて、当該ユーザのＩＰ電話機のその時点におけるＩＰアドレス（以下、ＩＰ−Ａと表記する），ユーザが入力したコンテンツＩＤを把握する処理が行われる。次いで、ユーザが契約者であること（ユーザのＩＰ電話番号が、ユーザＤＢ１１に登録されていること）を確認した上で、把握したコンテンツＩＤに対応するコンテンツＵＲＬとＩＰ−Ａとを含むＩＰアドレス登録要求を、当該コンテンツＵＲＬで特定されるコンテンツサーバ３０に対して送信する処理が行われる。
【００４０】
このＩＰアドレス登録要求を受信したコンテンツサーバ３０は、ＩＰアドレス登録要求に含まれるＩＰ−Ａを含むレコードを，ＩＰアドレス登録要求に含まれるコンテンツＵＲＬに対応づけられているＩＰアドレステーブル３１に記憶してから、ＩＰアドレス完了通知を管理サーバ１０に送信する。
【００４１】
ＩＰアドレス完了通知を受信した管理サーバ１０は、設定完了メッセージ（音声メッセージ）を接続中のＩＰ電話機に対して出力する処理と、ユーザ宛ての設定完了メールを送信する処理とを行う。
【００４２】
設定完了メッセージを聞いたユーザは、自身のパーソナルコンピュータ（ＩＰ電話機と同じブロードバンドルータに接続されているもの；図１参照）に対して、利用したかったコンテンツ（管理サーバ１０へＩＰ電話をかける際に入力したコンテンツＩＤで識別されるコンテンツ）を表示させるための作業（Ｗｅｂブラウザを操作する作業，設定完了メールを開いて、そこに示されているＵＲＬを操作する作業等）を行う。
【００４３】
この作業によりインターネット上に送信されるリクエストの送信元アドレスは、ＩＰ−Ａである。そして、コンテンツサーバ３０は、既に、リクエストの送信元アドレスがＩＰ−Ａであった場合、ＰＷ等の入力を要求することなく、ユーザが利用したいと考えているコンテンツを提供する状態となっているので、結局、ユーザのパーソナルコンピュータには、ＰＷ等の入力ダイアログボックス等が表示されることなく、目的とするコンテンツが表示されることになる。
【００４４】
《変形形態》
上記したコンテンツ提供システムは、各種の変形を行うことが出来る。例えば、各コンテンツサーバ３０として、要認証コンテンツを１つしか保持していないものを採用する場合には、管理サーバ１０からコンテンツサーバ３０へ、コンテンツＵＲＬが送信されない（ＩＰアドレスのみを含むＩＰアドレス登録要求が送信される）ようにしておくことが出来る。また、管理サーバ１０からコンテンツサーバ３０へ、コンテンツＩＤを含むＩＰアドレス登録要求が送信されるように、システムを変形しておくことも出来る。
【００４５】
さらに、管理サーバ１０から，設定完了メールを送信する機能を取り除いておいても良いことや、上記したものと同機能のシステムを１台のサーバにて実現しても良いことなどは、当然のことである。
【図面の簡単な説明】
【００４６】
【図１】本発明の一実施形態に係るコンテンツ提供システムの構成図。
【図２】実施形態に係るコンテンツ提供システムに含まれる管理サーバが備えるユーザデータベースの説明図。
【図３】管理サーバの動作を説明するための流れ図。
【図４】実施形態に係るコンテンツ提供システムに含まれる各コンテンツサーバが備えるＩＰアドレステーブルの説明図。
【図５】コンテンツサーバの動作を説明するための流れ図。
【図６】実施形態に係るコンテンツ提供システムの全体的な動作内容の説明図。
【符号の説明】
【００４７】
１０  管理サーバ
１１  ユーザデータベース（ユーザＤＢ）
１２  コンテンツデータベース（コンテンツＤＢ）
２０  認証サーバ
３０  コンテンツサーバ
３１  ＩＰアドレステーブル
【図１】
0004751114.tif 000002
【図２】
0004751114.tif 000003
【図３】
0004751114.tif 000004
【図４】
0004751114.tif 000005
【図５】
0004751114.tif 000006
【図６】
0004751114.tif 000007